(57)【要約】【課題】番組データ記憶編集装置において、同一シリーズ番組に対するユーザの編集作業を軽減すること。【解決手段】ユーザが録画済番組の一覧を表示し（Ｓ２１０）、部分削除しようとする番組を選択すると（Ｓ２２０）、選択した番組と同一シリーズの番組の一覧を表示する（Ｓ２３０）。そして、ユーザがシリーズ番組の部分削除編集を選択し、削除部分の編集点を設定すると（Ｓ２４０）、本装置では、設定した編集点を選択番組と同一シリーズの番組全てに適用する（Ｓ２５０）。次に、編集点を修正する番組があるか否かを判断し（Ｓ２６０）、あれば修正して（Ｓ２７０）、選択番組と同一シリーズの番組全てに部分削除の編集処理を実効する（Ｓ２８０）。【選択図】図２
2008172567.tif 000002
【特許請求の範囲】
【請求項１】
番組データを受信し記憶手段に録画済み番組として記憶すると共に、前記記憶手段に記憶された前記録画済み番組を編集する番組データ記憶編集装置であって、
前記記憶手段に記憶された録画済み番組の一覧を表示する表示制御手段と、
前記表示制御手段によって表示された録画済み番組一覧を参照して編集すべき編集対象番組が選択された場合、選択された前記編集対象番組と同一シリーズの録画済み番組を検索する検索手段と、
前記編集対象番組に対し同一シリーズ番組の一括編集指示があった場合、前記編集対象番組に対し前記一括編集指示に基づく編集処理を行うと共に、前記検索手段によって検索された前記編集対象番組と同一シリーズの録画済み番組に対しても前記一括編集指示に基づく編集処理を行う編集手段と、
を有する番組データ記憶編集装置。
【請求項２】
請求項１記載の番組データ記憶編集装置において、
前記編集手段は、
同一シリーズ番組のうちの代表番組に対しユーザにより編集位置が設定されると、設定された編集位置を記憶すると共に、設定された編集位置を前記表示制御手段により表示させてユーザに確認させ、
ユーザより同一シリーズ番組の一括編集指示があった場合、前記代表番組と同一シリーズ番組について記録開始位置から編集位置まで、編集位置から記録終了位置までの編集候補部分のどちらか、またはその両方を編集する、
ことを特徴とする番組データ記憶編集装置。
【請求項３】
請求項２記載の番組データ記憶編集装置において、
前記編集手段は、
ユーザより同一シリーズ番組の一括編集指示があった場合、前記同一シリーズ番組の中で他の番組より録画時間が長い番組については、前記編集位置をユーザに再設定させるよう前記表示制御手段によりメッセージを表示させる、
ことを特徴とする番組データ記憶編集装置。
【請求項４】
請求項２記載の番組データ記憶編集装置において、
前記編集手段は、
ユーザより同一シリーズ番組の一括編集指示があった場合、前記同一シリーズ番組の中で放送開始時間および放送終了時間が相対的にずれたスポーツ延長番組については、前記編集位置をユーザに再設定させるよう前記表示制御手段によりメッセージを表示させる、
ことを特徴とする番組データ記憶編集装置。
【請求項５】
請求項１〜請求項４のいずれか一の請求項に記載の番組データ記憶編集装置において、
前記編集手段は、録画済み番組の再生時に編集の編集点が設定された場合、当該録画済み番組の再生終了時に、再生が終了した前記録画済み番組と同一シリーズ番組の一括編集指示を行うか否かをユーザに選択させるためのメッセージを前記表示制御手段により表示させる、
ことを特徴とする番組データ記憶編集装置。
【発明の詳細な説明】
【技術分野】
【０００１】
本発明は、テレビ放送等の番組をハードディスク（以下、ＨＤＤという。）等の内蔵記憶部や、ＤＶＤ、フラッシュメモリなどのリムーバブルな記録媒体に記録し、部分的に削除等の編集を行う番組データ記憶編集装置に関する。
【背景技術】
【０００２】
近年、ＨＤＤレコーダ等の番組データ記憶編集装置では、ＨＤＤ等の内蔵記憶部やＤＶＤ等の記録媒体の大容量化が進み、大量のデジタル画像（番組等）を記録して保存することができるようになったが、限りある容量のため、いくらでも記録できる訳ではない。一つでも多くの番組を記録するため、またはＤＶＤなどのリムーバルな記録媒体に多くの番組をダビングするために、番組の不要部分を削除して、記録容量を減らす必要がある。ＥＰＧ（Electrical Program Guide）などを利用して予約録画を行ったとき、番組によっては先頭位置部分や末尾部分にコマーシャル（以下ＣＭという）が数分間記録されていたり、毎回同じオープニングやエンディングが記録されている。このコマーシャル部分やオープニング、エンディングを削除しようとした場合、番組一つ一つに対して編集削除を行うのは非常に手間がかかる。
【０００３】
この問題を解決する手段として、末尾部分のコマーシャルを削除するのに録画終了位置よりある時間遡った部分の映像を簡単削除する従来技術（例えば、特許文献１参照。）や、複数の動画像データ（番組）を編集する方法として、時系列に動画像データを並べて編集位置ごとに複数番組を同時に設定する従来技術（例えば、特許文献２参照。）、各番組のオープニングやエンディング更にＣＭを検出して、ＤＶＤなどに不要部分をダビングしない従来技術（例えば、特許文献３参照。）等がある。
【特許文献１】特開２００５−３４８１２８号公報
【特許文献２】特開２００６−８６６３４号公報
【特許文献３】特開２００６−２２９５６５号公報
【発明の開示】
【発明が解決しようとする課題】
【０００４】
しかし、上記特許文献１（特開２００５−３４１２８号公報）記載の従来技術では、末尾のコマーシャルなどの部分削除は簡単に行うことができるが、シリーズの連続番組などをまとめて編集削除することはできず、番組一つ一つに対して同じ編集作業を行わなければならない、という問題があった。
【０００５】
また、上記特許文献２（特開２００６−８６６３４号公報）記載の従来技術では、連続番組の番組データを時系列に表示させて、編集シーンを検出し番組それぞれの編集箇所を設定して、必要場面・不要場面の設定をするが、編集箇所を設定する操作が複雑であり面倒である、という問題があった。
【０００６】
また、上記特許文献３（特開２００６−２２９５６５号公報）記載の従来技術では、連続番組の２つの番組を比較することによって毎回同じであるオープニングやエンディングを検出し、更に映像と音声の同時途切れなどを利用してＣＭを検出する手法が紹介されているが、オープニングやエンディングが途中で変更になったときなど検出できない場合があったり、また、二つの番組を比較するため、検出に時間がかかる、という問題があった。
【０００７】
そこで、本発明は、簡単な操作により同一シリーズ番組それぞれの先頭位置や末尾の不要部分をまとめて編集して、同一シリーズ番組に対するユーザの編集作業を軽減することができる番組データ記憶編集装置を提供することを目的とする。
【課題を解決するための手段】
【０００８】
上記目的を達成するため、本発明に係る番組データ記憶編集装置では、番組データを受信し記憶手段に録画済み番組として記憶すると共に、前記記憶手段に記憶された前記録画済み番組を編集する番組データ記憶編集装置であって、前記記憶手段に記憶された録画済み番組の一覧を表示する表示制御手段と、前記表示制御手段によって表示された録画済み番組一覧を参照して編集すべき編集対象番組が選択された場合、選択された前記編集対象番組と同一シリーズの録画済み番組を検索する検索手段と、前記編集対象番組に対し同一シリーズ番組の一括部分削除指示があった場合、前記編集対象番組に対し前記一括部分削除指示に基づく編集処理を行うと共に、前記検索手段によって検索された前記編集対象番組と同一シリーズの録画済み番組に対しても前記一括部分削除指示に基づく編集処理を行う編集手段と、を有するものである。
【発明の効果】
【０００９】
本発明によれば、編集対象録画済み番組に対し同一シリーズ番組の一括部分削除指示があった場合、編集対象番組に対し一括部分削除指示に基づく編集処理を行うと共に、前記編集対象番組と同一シリーズの録画済み番組に対しても前記一括部分削除指示に基づく編集処理を行うので、編集対象番組を代表番組として先頭位置部分や末尾部分の削除等の編集処理を行う場合には、その代表番組に関連する同一シリーズ番組も同様に編集処理が行われ、同一シリーズ番組の部分削除処理等の編集作業を一度の操作で行うことができ、同一シリーズ番組に対するユーザの編集作業を軽減することができる。
【発明を実施するための最良の形態】
【００１０】
以下、本発明の実施の形態を説明する。
実施の形態１．
【００１１】
図１は、本発明の実施の形態１に係る番組データ記憶編集装置の構成例を示すブロック図である。
【００１２】
図１において、実施の形態１の番組データ記憶編集装置は、チューナ部１と、画像データ作成部２と、動作制御部３と、入力部４と、ＨＤＤや内蔵メモリ等の内蔵記憶部５と、ＤＶＤやメモリ等のリムーバブルな記録媒体６と、記録再生部７と、ディスプレイ等の表示部８と、本発明の表示制御手段としての表示制御部９とを有している。そして、動作制御部３は、本発明の検索手段としての検索部３１と、編集手段としての編集部３２とを有している。
【００１３】
次に動作を説明する。
まず、この番組データ記憶編集装置では、入力部４はリモートコントローラ（以下、リモコンという）からの制御信号を受信して、動作制御部３に渡し、動作制御部３が各部の制御を行う。チューナ部１は、放送番組の番組データや、番組タイトルや放送日時や、番組表（ＥＰＧ）等の番組付加データを受信する。受信した番組データや番組付加データは画像データ作成部２でデコードされ、記録再生部７がデコードされた番組データや番組付加データを内蔵記憶部５または記録媒体６に記録する。なお、番組付加データは、動作制御部３等が有するメモリ（図示せず）等に記憶するようにしても勿論よい。
【００１４】
なお、ここでは、デコードした放送番組のコンテンツ自体である番組データは、内蔵記憶部５に記録することとするが、記録媒体６に記録するようにしても良い。この場合、記録媒体６は、ＤＶＤ−ＲＡＭ等の書き換え可能な記録媒体であることが望ましい。これにより、ユーザは、所望とする番組データを内蔵記憶部５に記録することができ、記録された番組の中からユーザ操作による番組選択により、編集対象の番組を抽出することができる。
【００１５】
そのため、表示制御部９は、ユーザが番組選択操作を行うための各種操作画面や、確認画面、選択画面等を表示部８に表示して、ユーザに選択させる。
【００１６】
そして、入力部４を介しユーザによって表示制御部９によって表示部８に表示された後述する選択画面を参照して編集すべき編集対象番組が選択され、ユーザが番組の部分削除等の編集指示が入力すると、動作制御部３はその編集指示を入力して、検索部３１がその編集対象番組と同一シリーズの録画済み番組を検索する。
【００１７】
そして、ユーザがその編集対象番組に対し同一シリーズ番組の一括部分削除指示をすると、編集部３２が、その編集対象番組に対しその一括部分削除指示に基づく編集処理を行うと共に、検索部３１によって検索された編集対象番組と同一シリーズの録画済み番組に対しても一括部分削除指示に基づく編集処理を行うように動作をする。
【００１８】
なお、本実施の形態では、編集処理として、番組データにおける不要部分の削除処理である部分削除を一例に説明する。番組データの不要部分の削除処理により、内蔵記憶部５や記録媒体６から番組データの不要部分が消去されるので、それらの容量が確保されることになる。
【００１９】
図２は、本発明の実施の形態１に係る番組データ記憶編集装置においてシリーズ番組の部分削除を行う場合の処理手順を示すフローチャートである。
【００２０】
ユーザが入力部４を介しシリーズ番組の部分削除指示を入力すると、まず、動作制御部３はその指示を受けて、表示制御部９に録画済番組を一覧表示させる選択画面の表示指令を出す。表示制御部９は、内蔵記憶部５にアクセスして内蔵記憶部５に記録されている録画済み番組の番組を録画日順にソートした、例えば、最新8番組を読み出して、例えば、図３の様な録画済番組一覧画面３００を表示部８に表示する（Ｓ２１０）。勿論、録画済番組一覧画面３００の最新８番組は、一例であり、最新４番組でも、１０番組以上でも勿論よい。
【００２１】
図３は、ステップＳ２１０の処理により表示される部分削除する番組を検索するため録画済番組一覧画面３００の一例を示す図である。
【００２２】
ここで、図３に示す録画済番組一覧画面３００では、図３に示すように一覧表示されている番組はカーソルを順次送って行く、もしくはページ送りなどにより８番組より古い番組を表示して選択することが可能である。図３の録画済番組一覧画面３００では、静止画や動画のサムネイル画像と、それに付随したタイトル名を表示し、カーソルが当たってアクティブになっている番組については、更に番組の詳細情報を表示することができる。記録した番組の選択一覧表示は検索しやすいように、切替えボタン３１０〜３３０により、録画日順だけではなく、タイトル名順、ジャンル順に表示を切換えることができる。
【００２３】
次に、ユーザが図３に示す録画済番組一覧画面３００において部分削除したい番組にカーソルを移動して選択決定を行うと(Ｓ２２０)、制御部３の検索部３１が動作して、選択操作により選択された番組と同じ条件である同一シリーズ番組を検索して、全ての番組を検索した結果を、図４の様な同一シリーズ番組一覧画面４００して表示する(Ｓ２３０)。ここで、同一シリーズ番組とは、選択番組と条件が一致する番組のことで、例えば、毎週や毎日、番組内容が続いて放送されるドラマやアニメ、映画番組、毎週や毎日番組内容が変わるものの番組の題名が実質的に同一で構成が同じである番組、例えば、クイズ番組や、学習番組、お笑い番組等の記録番組のタイトル名が同じ、もしくは記録開始時刻、記録終了時刻、記録チャンネルが同じ番組をいう。
【００２４】
図４は、部分削除する同一シリーズ番組を選択した同一シリーズ番組一覧画面４００の一例を示す図である。
【００２５】
図４には、部分削除するシリーズ番組として、例えば題名“横浜物語”を選択した場合の同一シリーズ番組一覧画面４００の一例を示している。
【００２６】
ここで、図４に示す同一シリーズ番組一覧画面４００には、検索条件の候補番組を全て表示するため、既に途中の番組（放送日）まで編集が行われている場合も考えられるため、編集が済んでいる編集済み番組４１０に対しては“済み”等の編集済みマークが表示され区別できる。編集済み番組４１０に関しては、既に編集されているので、候補番組に選択されないようにしても良い。編集候補として選ばれた番組に関しては、カーソルを当てることにより詳細の内容を確認することができ、編集不要な番組に対しては除外することが可能である。
【００２７】
また、図４に示す同一シリーズ番組一覧画面４００には、同一シリーズ番組を一括して部分削除を行うことを選択する“部分削除編集”ボタン４２０と、前の処理あるいは選択画面に戻るための“戻る”ボタン４３０が設けられている。
【００２８】
そのため、ユーザが図４に示す同一シリーズ番組一覧画面４００において“部分削除編集”ボタン４２０等を選択すると、表示制御部９は、ユーザが削除候補部分の設定が行えるように図５又は図６の編集画面を表示する（Ｓ２４０）。
【００２９】
図５は、先頭シーンを削除する場合の編集画面５００の一例を示しており、図６は、末尾シーンを削除する場合の編集画面６００の一例を示している。
【００３０】
図５、図６に示す編集画面５００，６００は、「先頭シーン削除」タグ５１０と「末尾シーン削除」タグ５２０のタグによって切り換えられる。先頭シーンを編集する必要がなければ、何もせずに「末尾シーン削除」タグ５２０を選択して、編集画面を切り換えれば良い。
【００３１】
図５、図６に示す編集画面５００，６００は、右側に同一シリーズ番組として選択した録画済番組の一覧の放送日時等の番組データが表示される同一シリーズ番組表示エリア５３０が設けられている一方、その左側には編集位置を画像により決定もしくは確認するための編集位置画像確認エリア５４０が表示されている。そして、その下に、削除範囲をユーザがカーソル等を移動させて範囲指定するプログレスバー５５０と、タイムカウンタや編集番組Noを表示する編集番組確認エリア５６０とが表示されている。
【００３２】
ここで、ユーザは、図５に示す先頭シーンの削除編集するための編集画面５００を利用して、現在選択されている代表番組（ここでは番組１）を再生、サーチ、コマ送り、ポーズなどで先頭位置から削除する部分の編集位置を設定し、編集部３１がその設定された編集位置を検出する。検出した編集位置で問題がなければ、ユーザが「ここまで」ボタン５７０を選択するので、編集部３１はその設定された編集位置を確定する。これにより、番組１の開始シーンにおける削除候補部分が、録画開始位置から編集位置までと確定する。
【００３３】
同様に、番組の末尾シーンを編集するときは、「末尾シーン削除」タグ５２０を選択すると、表示制御部９は、例えば、図6に示すような末尾シーン削除の編集画面６００に切り換えて表示する。そして、番組１の開始シーンの場合と同様に、図6に示すような末尾シーン削除の編集画面６００において、番組１の末尾シーンにおける編集位置を選択した時点で、番組1の録画終了位置からその編集位置まで遡った部分が番組１の末尾シーンにおける削除候補部分として設定される。
【００３４】
ここで、「末尾シーン削除」タグ５２０を選択した時点で、編集対象の番組１の録画終了位置から特定時間遡った時間の静止画像（場面）等が編集位置画像確認エリア５４０に表示されるようにしても良い。ここで、この特定時間は、あらかじめ設定されている時間でユーザが自由に変更するものである。つまり、ユーザによる変更がされないときは、イニシャル値、例えば５分として設定されている値が適用される。そこから再生、サーチ、コマ送り、ポーズなどで末尾の削除編集位置を検出する。検出した編集位置で問題がなければ「ここから」ボタン５８０を選択して末尾の編集位置を決定し、編集位置から録画終了までの削除候補部分を確定させる。番組編集は先頭位置部分と末尾部分の両方を編集する必要がなく、先頭位置部分のみ、もしくは末尾部分のみの編集も可能である。
【００３５】
そして、代表番組（例えば、番組１）に対しての部分削除の編集位置が確定し、ユーザが「全ての番組に適用」ボタン５９０を押すと、編集部３２は、代表番組（例えば、番組１）と同一シリーズ番組として選択された全ての番組に削除するための編集位置を適用して、削除候補部分をまとめて設定する（Ｓ２５０）。
【００３６】
ここで、編集部３２は、シリーズ番組への編集位置の適用は、録画開始位置からの経過時間情報に基づいて設定する。これは、シリーズ番組や連続番組等の関連番組は、毎回ほぼ同じ時間に始まり、同じ時間に終了することが多いためである。これにより、本実施の形態によれば、一つの番組で決定した編集位置を同一シリーズ番組に適用することによって、シリーズ番組や連続番組等の関連番組の編集位置を確認や、代表番組で一度設定するだけで、代表番組と関連するシリーズ番組や連続番組等の関連番組の編集位置を個々に設定するなど一から編集する必要がなくなる。
【００３７】
ここで、ユーザが「全ての番組に適用」ボタン５９０を押下すると、全てのシリーズ番組に削除候補の編集位置を設定後、ユーザがシリーズ番組の個々の番組毎に編集位置を修正等したい場合は、「次の番組」ボタン６１０を選択することにより、次の番組2、番組３、…と次のシリーズ番組に進めて、シリーズ番組の個々の番組毎に編集位置を確認または修正を行うことができる。なお、前の処理に戻る場合は、「戻る」ボタン６２０を選択し、シリーズ番組の個々の番組をプレビューした場合は「プレビュー」ボタン６３０を選択し、編集点を移動する場合は「編集点の移動」ボタン６４０を選択し、進めた番組を前の番組に戻る場合は、「前の番組」ボタン６５０を選択し、一括削除処理を行う場合には「削除実行」ボタン６６０を選択することになる。
【００３８】
次に、編集部３２は、全ての番組に削除候補の編集位置を設定後、編集位置を修正する番組があるか否かを確認するメッセージをディスプレイ等の表示部８に表示する（Ｓ２６０）。そして、編集位置を修正したい番組がある場合、「次の番組」ボタン６１０を選択すると、次の番組2の編集位置を確認または修正を行うことができる。そして、編集画面が「先頭シーン削除」画面５００であるときは、先頭位置の編集位置を確認もしくは修正することができ、「末尾シーン削除」画面６００であるときは、末尾の編集位置の確認もしくは修正を行うことができる。
【００３９】
更に次の番組へ移動するには、ユーザが「次の番組」ボタン６１０を選択し、前の番組に戻りたい場合は、「前の番組」ボタン６５０を選択すると、編集部３２は、その指示に従って次の番組あるいは前の番組に切替える。
【００４０】
ここで、「プレビュー」ボタン６３０が選択されると、表示制御部９は、編集位置の前後例えば５秒間程度再生した後、編集位置での静止画状態となり静止画像の表示に戻る。この編集位置を変更したいときは、再生、スローなどで編集位置を修正して、「ここから」ボタン５６０もしくは「ここまで」ボタン５７０を選択すると、編集部３２は、再編集を実行する（Ｓ２７０）。ここで、全ての番組を確認したければ、この操作を各番組に対して繰り返し行う必要があり、全ての番組の編集箇所を確認したい場合、手動で番組を一つ一つ確認するのは手間がかかるので、自動で各番組の編集箇所のプレビューを実行させるようにしても良い。
【００４１】
そして、ユーザが「削除実行」ボタン６６０を選択すると、編集部３２は、上記設定した編集位置で同一シリーズ番組として選択された全ての番組の不要部分を一の代表番組で設定した編集位置を削除することができる（Ｓ２８０）。
【００４２】
これにより、本実施の形態１によれば、ユーザが「削除実行」ボタン６６０を押下することにより、最初に設定した代表番組と同一シリーズ番組にも自動的に編集位置が設定され、代表番組を含む所定の条件の複数の番組に関して、確認や編集を行わなくても、一括して部分削除等の編集処理を実行することができる。
【００４３】
尚、Ｓ２８０の処理では、誤操作防止のため、「削除実行」ボタン６６０を選択後いきなり実行するのではなく、本当に実行するか確認させるための「実行」や「取消」の確認画面や、確認メッセージ、確認ダイアログボックスが表示されるようにしても良い。また、スポーツ延長などで記録時間が延長されている番組や、最終回等の拡大番組（３０分延長等）に対しては、必ず確認を行わるように設定しておくと良い。このような拡大番組は、番組の放送時間、すなわち内蔵記憶部５への記録時間や、番組データと共に送信されてきて受信したＥＰＧ情報等から判断する。これにより、一括して部分削除等の編集処理による拡大番組における誤った部分削除などを防止することができる。なお、確認せずにユーザが「削除実行」ボタン６６０を押下した場合、警告メッセージ等を表示して、ユーザに確認を促し、部分削除処理を実行しないようにしても良い。
【００４４】
このように、本実施の形態１の番組データ記憶編集装置によれば、内蔵記憶手段４に記憶された同一シリーズ番組を一括して部分削除等の編集が行えるので、簡単な操作により同一シリーズ番組それぞれの先頭位置や末尾の不要部分をまとめて編集することが可能となり、シリーズ番組に対するユーザの編集作業を軽減することができる。
【００４５】
なお、同一シリーズ番組の中に、記録時間が他の記録時間より長い場合は、番組の延長もしくは拡大された番組として他の番組とは別処理を行うようにする。また、スポーツ延長に関しては、記録時にスポーツ延長が行われたことを示すスポーツ延長情報がその番組データの番組付加データに含まれている。スポーツ延長により通常より長めに記録されている番組に対しては、他の通常の番組と同様に録画開始位置から編集位置までの経過時間によって編集位置が設定されるが、先頭位置もしくは末尾、あるいは両方に余分に記録されている部分が存在する。しかし、番組自体の長さは通常と同じため、編集位置が相対的に移動、すなわち録画開始位置（録画開始時間）および録画終了位置（録画終了時間）を相対的に移動するように、編集部３２は、先頭シーン部分の編集位置が移動されると、その移動量と同じだけ末尾の編集位置が移動し、簡単に編集位置を移動するようにする。編集位置を移動する場合は、図５もしくは図６の編集画面５００，６００で編集位置を設定した後、「ここまで」ボタン５７０、「ここから」ボタン５８０ではなく、「編集位置の移動」ボタン６４０を選択すると、編集部３２がその指示を受けて上記録画開始位置（録画開始時間）および録画終了位置（録画終了時間）の相対的移動を実現する。編集が先頭位置部分もしくは末尾部分だけの場合は、この操作は無効である。選択しても無効な選択肢は、選択できないようにしても良い。
【００４６】
また、通常の録画時間より長い番組でスポーツ延長された番組でないと判断された場合は、通常より長い分だけ拡大された最終回等の特別な拡大番組であるので、編集部３２は、最終回等の特別な拡大番組と判断した場合、先頭シーンの編集位置は記録開始位置からの経過時間の位置とするが、末尾シーンの編集位置は経過時間では設定しないようにする。なお、末尾シーンの編集位置は、通常番組の記録終了点から末尾シーン編集位置までの時間分を遡った位置を編集位置とするようにする。
【００４７】
実施の形態２．
上記実施の形態１では、番組記録後に同一シリーズ番組の一括部分削除する場合を説明したが、本実施の形態２では、番組の再生中に同一シリーズ番組の一括部分削除するようにしたものである。なお、本実施の形態２の番組データ記憶編集装置は、構成自体は図１に示す番組データ記憶編集装置と同じなので、図１に示す実施の形態１の番組データ記憶編集装置を参照して、実施の形態２の動作を説明するものとする。
【００４８】
図７は、本発明の実施の形態２に係る番組データ記憶編集装置においてシリーズ番組の部分削除を行う場合の処理手順を示すフローチャートである。
【００４９】
録画した番組を再生している際に、番組の先頭シーンに不要部分があれば、編集部３２は、記録開始位置から不要部分までの位置に編集位置を設定する（Ｓ７１０）。記録開始位置の編集位置の設定は、再生動作中に不要箇所を検出した場合、リモコン（図示しない）の「ここまで削除」キー等を押して編集位置を設定する。編集位置の設定は、再生中でも一時停止中でもスロー再生中などの特殊再生中でも設定できる。また、再生していて番組の本編を見終わって、以降録画終了位置までのエンディングやＣＭなどで視聴する必要がない不要部分であれば、再生動作中にリモコンの「ここから削除」キーを押して末尾の編集位置を設定する。
【００５０】
上記の編集設定を行った場合、再生終了または再生停止時に、表示制御部９は、例えば、図８に示すような削除候補の編集を行うかの削除候補確認画面８００が表示される（Ｓ７２０）。
【００５１】
図８は、本実施の形態２における削除候補確認画面８００の一例を示している。
【００５２】
ここで、「実行しない」ボタン８４０を選択したときは（Ｓ７２０“Ｎｏ”）、設定した編集位置を消し去り、部分削除処理を終了する。同様に、「後で実行」ボタン８３０を選択した時も（Ｓ７２０“Ｎｏ”）、設定した編集位置を記憶しておき、後にこの番組の削除編集を行ったときに今回記憶した編集位置が読み出される。
【００５３】
「直ちに編集」ボタン８２０を選択した場合は（Ｓ７２０“Ｙｅｓ”）、図９に示すように「この番組のみ編集」ボタン８５０、「同一シリーズ番組を編集」ボタン８６０の２種類の編集方法の選択肢が表示される。
【００５４】
そして、「この番組のみ編集」ボタン８５０が選択された場合は（Ｓ７３０“この番組のみ”）、編集位置の確認画面が表示されて、修正する必要があれば修正を行い（Ｓ７９０）、削除の実行を行う（Ｓ７８０）。
【００５５】
これに対し、「同一シリーズ番組を編集」ボタン８６０が選択された場合は(Ｓ７３０“同一シリーズ番組”)、今回再生していた番組と同一シリーズの番組を検索して、実施の形態１の場合と同様に図４に示すような編集番組一覧画面４００の表示を行う（Ｓ７４０）。ここで、既に途中の番組（放送日）まで編集が行われている場合も考えられるので、編集が済んでいる番組に対しては、実施の形態１の場合と同様に編集済みマークが表示され区別できる。編集済み番組に関しては、既に編集されているので、候補番組に選択されないようにしても良い。編集候補として選ばれた番組に関しては、カーソルを当てることにより詳細の内容を確認することができ、編集不要な番組に対しては除外することが可能である。
【００５６】
次に、部分削除編集ボタン４２０が選択されると、実施の形態１の場合と同様に、再生中に設定した編集位置を代表番組と同一シリーズの編集候補番組すべてに適用し、削除候補部分をまとめて設定し、実施の形態１の場合と同様に、図５又は図６に示す編集画面５００，６００を表示する（Ｓ７５０）。図５又は図６の編集画面５００，６００は、「先頭シーン削除」タグ５１０と「末尾シーン削除」タグ５２０によって切り換えられる。編集位置の適用は、録画開始位置からの経過時間情報によって設定される。
【００５７】
実施の形態１と同様に、「次の番組」ボタン６１０を選択すると、次の番組2の編集位置を確認または修正を行うことができる（Ｓ７６０）。編集画面が「先頭シーン削除」であるときは、先頭位置の編集位置を確認もしくは修正することができ、編集画面が「末尾シーン削除」であるときは、末尾の編集位置の確認もしくは修正を行うことができる。更に次の番組へ移動するには、「次の番組」ボタン６１０をさらに選択し、前の番組に戻したい場合は、「前の番組」ボタン６５０を選択して、必要な番組に移動することができる。
【００５８】
また、実施の形態１と同様に、確認は「プレビュー」ボタン６３０を選択することで、編集位置の前後5秒間再生した後、編集位置での静止画状態となり、静止画像の表示に戻る。この編集位置を変更したいときは、再生、スローなどで編集位置を修正して、「ここから」ボタン５８０もしくは「ここまで」ボタン５７０を選択し、再編集することができる（Ｓ７７０）。全ての番組を確認したければ、以上の操作を各番組に対して繰り返し行う。
全ての番組の編集箇所を確認したい場合、手動で番組を一つ一つ確認するのは手間がかかるので、自動で各番組の編集箇所のプレビューを実行させても良い。
【００５９】
そして、実施の形態１と同様に、「削除実行」ボタン６６０を選択することで、上記設定した編集位置で同一シリーズ番組として選択された全ての番組の不要部分を削除することができる（Ｓ７８０）。尚、実施の形態１と同様に、誤操作防止のため、「削除実行」ボタン６６０を選択後いきなり実行するのではなく、本当に実行するか確認させるための、「実行」「取消」の確認画面があっても良い。「削除実行」ボタン６６０は、最初に設定した代表番組以外の自動的に編集位置が設定された番組に関して、確認や編集を行わなくても実行することができる。
【００６０】
このように、本実施の形態２の番組データ記憶編集装置によれば、実施の形態１と同様に、内蔵記憶手段４に記憶したシリーズ番組を一括して部分削除等の編集が行えるので、簡単な操作によりシリーズ番組それぞれの先頭位置や末尾の不要部分をまとめて編集することが可能となり、シリーズ番組に対するユーザの編集作業を軽減することができると共に、再生動作中に再生番組において削除候補部分の編集位置を設定することにより、再生番組と同一シリーズ番組を一括しての部分削除編集も行うこともでき、シリーズ番組に対するユーザの編集作業を軽減することができる。
【００６１】
尚、以上の実施の形態では、同一シリーズ番組の編集処理として、番組データの部分削除処理を一例に説明したが、本発明では、これに限らず、同一シリーズ番組の編集処理として、実際に同一シリーズ番組の部分削除はせず、設定した編集位置の画像により、プレイリスト等を作成するための編集処理とすることも可能である。
【図面の簡単な説明】
【００６２】
【図１】本発明の実施の形態１に係る番組データ記憶編集装置の構成例を示すブロック図である。
【図２】本発明の実施の形態１に係る番組データ記憶編集装置においてシリーズ番組の部分削除を行う場合の処理手順を示すフローチャートである。
【図３】ステップＳ２１０の処理により表示される部分削除する番組を検索するため録画済番組一覧画面３００の一例を示す図である。
【図４】部分削除するシリーズ番組を選択した同一シリーズ番組一覧画面４００の一例を示す図である。
【図５】シリーズ番組の先頭シーンを削除する場合の編集画面５００の一例を示す図である。
【図６】シリーズ番組の末尾シーンを削除する場合の編集画面６００の一例を示す図である。
【図７】本発明の実施の形態２に係る番組データ記憶編集装置においてシリーズ番組の部分削除を行う場合の処理手順を示すフローチャートである。
【図８】本実施の形態２における削除候補確認画面８００の一例を示す図である。
【図９】図８に示す削除候補確認画面８００において「直ちに編集」ボタン８２０を押下した場合の状態を示す図である。
【符号の説明】
【００６３】
１  チューナ部
２  画像データ作成部
３  制御部
３１  検索部（検索手段）
３２  編集部（編集手段）
４  入力部
５  内蔵記憶部（記憶手段）
６  記録媒体（記憶手段）
７  記録再生部
８  画像処理部
９  表示制御部（表示制御手段）
１０  表示部
【図１】
2008172567.tif 000003
【図２】
2008172567.tif 000004
【図３】
2008172567.tif 000005
【図４】
2008172567.tif 000006
【図５】
2008172567.tif 000007
【図６】
2008172567.tif 000008
【図７】
2008172567.tif 000009
【図８】
2008172567.tif 000010
【図９】
2008172567.tif 000011